【事件の表示】
　特許第２７８６７６９号「防湿建材の取付方法」の特許に対する特許異議の申立てについて、次のとおり決定する。
【結論】
　訂正を認める。
　特許第２７８６７６９号の特許を維持する。
【理由】
Ｉ．手続の経緯
　本件特許第２７８６７６９号に係る出願は、平成３年１２月１０日の出願であって、平成１０年５月２９日に特許の設定登録がなされ、その後、石澤晃から特許異議の申立がなされ、取消理由通知がなされ、その指定期間内である平成１１年８月２０日に訂正請求がなされたものである。
ＩＩ．訂正の要旨
　訂正事項ａ：特許請求の範囲を、特許請求の範囲の減縮を目的として、次のように訂正する。
「【請求項１】間柱及び野縁を備える建物において、防湿性を有する複数の防湿建材を、前記間柱及び野縁の上で端面同士を当接させて連接し、この当接部付近を固定部材で前記間柱及び野縁に固定して、室内側の壁面及び天井面に取り付ける防湿建材の取り付け方法であって、前記防湿建材は、耐火性の面材と、この面材の一の面の全体に接着され前記間柱及び野縁と対面させて取り付けられる防湿材とで構成され、この防湿材の一部であって前記面材の接合方向の隣接する２辺からはみ出すはみ出し部と、他方の隣接する２辺付近における前記防湿材の一部であって隣接する他の前記防湿建材のはみ出し部と重合する重合部と、を備え、前記壁面において先順番で取り付けられた前記防湿建材の前記はみ出し部に後順番で取り付ける前記防湿建材の重合部を重合させて後順番の前記防湿建材を連接することを繰り返して壁面側の防湿建材を前記天井面の施工位置よりも上方まで施工する工程と、前記天井面において最先に取り付けられる前記防湿建材の前記重合部付近の辺を前記壁面の防湿建材に当接させて取り付け、先順番で取り付けられた前記切湿建材の前記はみ出し部に後順番で取り付ける前記防湿建材の重合部を重合させて後順番の前記防湿建材を連接することを繰り返す工程と、を含み前記野縁のうち壁面に沿った野縁は、壁面側の防湿建材に固定されていることを特徴とする防湿建材の取付方法。」
　訂正事項ｂ：明細書の段落【００１２】を、以下のように訂正する。
「【００１２】
　【課題を解決するための手段】
　前記目的を達成するために、本発明は、間柱及び野縁を備える建物において、防湿性を有する複数の防湿建材を、前記間柱及び野縁の上で端面同士を当接させて連接し、この当接部付近を固定部材で前記間柱及び野縁に固定して、室内側の壁面及び天井面に取り付ける防湿建材の取り付け方法であって、前記防湿建材は、耐火性の面材と、この面材の一の面の全体に接着され前記間柱及び野縁と対面させて取り付けられる防湿材とで構成され、この防湿材の一部であって前記面材の接合方向の隣接する２辺からはみ出すはみ出し部と、他方の隣接する２辺付近における前記防湿材の一部であって隣接する他の前記防湿建材のはみ出し部と重合する重合部と、を備え、前記壁面において先順番で取り付けられた前記防湿建材の前記はみ出し部に後順番で取り付ける前記防湿建材の重合部を重合させて後順番の前記防湿建材を連接することを繰り返して壁面側の防湿建材を前記天井面の施工位置よりも上方まで施工する工程と、前記天井面において最先に取り付けられる前記防湿建材の前記重合部付近の辺を前記壁面の防湿建材に当接させて取り付け、先順番で取り付けられた前記防湿建材の前記はみ出し部に後順番で取り付ける前記防湿建材の重合部を重合させて後順番の前記防湿建材を連接することを繰り返す工程と、を含み前記野縁のうち壁面に沿った野縁は、壁面側の防湿建材に固定されていることを特徴とする。」
　訂正事項ｃ：明細書の段落【００３７】を、以下のように訂正する。
「【００３７】
　符号５１は格子状に組み付けられた野縁であり、野縁受け５２と吊木５３とを介して図１の二階梁４７や天井吊梁に吊り下げられた状態で設けられ、野縁５１のうち壁面側の壁面に沿った野縁５１は、壁部に張り付けられた防湿建材１の石膏ボード２に固定されている。」
ＩＩＩ．訂正の適否
　１．訂正の目的の適否、新規事項の有無及び拡張・変更の存否
　上記訂正事項ａに係る訂正は、特許請求の範囲の減縮に該当し、願書に添付した明細書又は図面の記載の範囲内のものであり、実質的に特許請求の範囲を拡張又は変更するものではない。
　また、訂正事項ｂ、ｃに係る訂正は、訂正事項ａに関連してなされた明瞭でない記載の釈明に該当し、願書に添付した明細書又は図面の記載の範囲内のものであり、実質的に特許請求の範囲を拡張又は変更するものではない。
　２．独立特許要件の判断
　訂正明細書の請求項１に係る発明は、訂正明細書の特許請求の範囲の請求項１に記載されたとおりのものであり（以下、「訂正後発明」という。）、これに対して、当審が先に通知した取消理由で引用した、実願昭５８−１４７７２９号（実開昭６０−５６５３３号）のマイクロフィルム（以下、「引用例１」という。）には、第２頁第１７行から第３頁第１６行、第４頁第１６行から第５頁第２行の記載事項及び第５，６図を参照すると、石膏ボードの基板と、この基板の一の面に接着され、柱と対面させて取り付けられる塩化ビニールからなる防湿シートと表面紙の積層体である防湿層とで構成され、この防湿層を基板の接合方向の隣接する二辺から張り出した、防湿性を有する内装材を、先に柱に取り付けた内装材の張り出し部に、隣接する他の内装材の張り出し部のない部分を重合させる防湿性を有する内装材の取付方法が記載されている。
　同じく、実願昭５８−１２１２１４号（実開昭６０−２９８０７号）のマイクロフィム（以下、「引用例２」という。）には、「石膏ボード、合板等の面材１の少なくとも一面に合成樹脂フィルム、防湿紙等の防湿材２を接着剤３で接合してなる、防湿建材。」（実用新案登録請求の範囲）、「防湿材２の大きさは、・・・図示の如く一部耳部２’を形成した大きさとすれば、防湿建材の使用時に耳部２’により防湿建材相互を確実に密接接合できる」（第３頁第１３〜１７行）、「壁材として用いる場合には、防湿材２面を壁部の内部側（屋外側）に面させ、又天井材として用いる場合には、通常防湿材２面を上側にして配設する。」（第４頁第２〜６行）及び「耐火性・・にも優れた防湿建材となすこともでき」（第４頁第１５〜１６行）と記載されている。
　同じく、特開昭６０−１５９２４３号公報（以下、「引用例３」という。）には、「防湿石膏ボードＡを天井に施工する場合には・・・防湿石膏ボードＡは・・・野縁（８）に取付ける」（第２頁左上欄１７行から右上欄第１行）と記載されている。
　ここで、訂正後発明と、引用例１に記載された発明とを比較すると、引用例１に記載された発明の「防湿材を有する内装材」、「石膏ボードの基板」、「柱」、「防湿層」、「張り出し部」及び「重合する張り出し部のない部分」は、それぞれの機能に照らし、各々、訂正後発明の「防湿建材」、「耐火性の面材」、「間柱」、「防湿材」、「はみ出し部」及び「重合部」に相当し、また、引用例１に記載された発明においても、連接を繰り返して施工するはずであるから、訂正後発明では、下記の構成を有しているのに対し、引用例１に記載された発明では、そのような構成を有していない点で相違しその余の点では一致している。
ａ．壁面だけでなく、野縁を備える天井面にも防湿建材を取り付け、天井面において防湿建材は防湿材が野縁と対面させて取り付けられ、先順番で取り付けられた防湿建材のはみ出し部に後順番で取り付ける防湿建材の重合部を重合させて後順番の防湿建材を連接することを繰り返す点。
ｂ．壁面側の防湿建材を天井面の施工位置より上方まで施工し、野縁のうち壁面に沿った野縁は、壁面側の防湿建材に固定され、天井面において最先に取り付けられる防湿建材の重合部付近の辺を壁面の防湿建材に当接させて取り付ける点。
　一方、引用例２には、石膏ボード等耐火性の面材の一面に防湿材を接着してなり、防湿材には、訂正後発明の「はみ出し部」に相当する「一部耳部」を形成した防湿建材を、壁材、天井材として用いること及び、天井材として用いる場合には、通常防湿材面を上側にして配設し、耳部により防湿建材相互を確実に密接接合することが記載されており、「一部」を隣接する２辺とすることは、引用例１に記載された発明の防湿層もそうであるが、適宜なしうることにすぎない。さらに、引用例３にも記載されているが、天井材を天井に取り付けるのに、野縁に取り付けることは、当該技術分野において慣用技術であるから、上記相違点ａ．の構成は、引用例２及び３に記載されているといえるが、上記相違点ｂ．の事項は引用例２，３のいずれにも記載されておらず、又、示唆するところもない。そして、訂正後発明は、当該事項によって明細書記載の作用効果を奏するものであり、訂正後発明が上記引用例１乃至３に記載された発明に基いて当業者が容易に発明をすることができたものとはいえない。
　また、他に特許を受けることができないとする理由も発見できない。
　したがって、訂正後発明は、特許出願の際、独立して特許を受けることができるものである。
　３．訂正の適否のむすび
　以上のとおりであるから、上記訂正は、特許法等の一部を改正する法律（平成６年法律第１１６号）附則第６条第１項の規定によりなお従前の例によるとされる、特許法第１２０条の４第２項及び第３項でさらに準用する特許法第１２６条第２〜４項の規定に適合するので、当該訂正を認める。
ＩＶ．異議の申立てについての判断
　１．申立ての理由の概要
　申立人石澤晃は、第１の理由として、平成９年８月１３日の手続補正書による特許請求の範囲の補正は、本件特許の出願時の明細書及び図面に記載されていない技術的事項を特許請求の範囲の記載に付加するものであり、同手続補正は、出願当初の明細書等の要旨を変更する補正に該当するので、本件特許の出願日は、特許法第４０条の規定に基づき、上記手続補正書の提出日である平成９年８月１３日であるとみなされるから、証拠として提出した甲第１号証に記載された発明に甲第２，３号証に開示された周知且つ慣用の技術を適用することにより、当業者が容易に発明をすることができたものであるから、特許法第２９条第２項の規定により特許を受けることができないものである。また、第２の理由として、本件特許の出願日が、本件特許公報に記載された出願日である平成３年１２月１０日であるとしても、甲第４号証及び甲第５号証又は甲第６号証に記載された発明に基づいて、当業者が容易に発明をすることができたものであるから、特許法第２９条第２項の規定により特許を受けることができないものであり、本件の特許を取り消すべきであると主張している。
　２．判断
　Ａ．第１の理由について
　申立人が、要旨変更に係る補正としている「前記天井面において最先に取り付けられる前記防湿建材の前記
重合部付近の辺を前記壁面の防湿建材に当接させて
　Ｂ．第２の理由について
　申立人が提出した甲第４，５，６号証刊行物は、取消理由に引用した引用例１、３、２と同じであり、添付された参考資料を考慮しても、前記ＩＩＩ．２．独立特許要件の判断で示したように、訂正後発明は、甲第４乃至６号証刊行物に記載された発明から当業者が容易に発明をすることができたものであるといえない。
Ｖ．むすび
　以上のとおりであるから、異議申立ての理由及び証拠によっては、本件の特許を取り消すことはできない。
　また、他に本件特許を取り消すべき理由を発見しない。
　よって、結論のとおり決定する。
【異議決定日】
平成１１年９月２４日（１９９９．９．２４）
【訂正の要旨】
訂正の要旨
　訂正事項ａ：特許請求の範囲を、特許請求の範囲の減縮を目的として、次のように訂正する。
「【請求項１】間柱及び野縁を備える建物において、防湿製を有する複数の防湿建材を、前記間柱及び野縁の上で端面同士を当接させて連接し、この当接部付近を固定部材で前記間柱及び野縁に固定して、室内側の壁面及び天井面に取り付ける防湿建材の取り付け方法であって、前記防湿建材は、耐火性の面材と、この面材の一の面の全体に接着され前記間柱及び野縁と対面させて取り付けられる防湿材とで構成され、この防湿材の一部であって前記面材の接合方向の隣接する２辺からはみ出すはみ出し部と、他方の隣接する２辺付近における前記防湿材の一部であって隣接する他の前記防湿建材のはみ出し部と重合する重合部と、を備え、前記壁面において先順番で取り付けられた前記防湿建材の前記はみ出し部に後順番で取り付ける前記防湿建材の重合部を重合させて後順番の前記防湿建材を連接することを繰り返して壁面側の防湿建材を前記天井面の施工位置よりも上方まで施工する行程と、前記天井面において最先に取り付けられる前記防湿建材の前記重合部付近の辺を前記壁面の防湿建材に当接させて取り付け、先順番で取り付けられた前記切湿建材の前記はみ出し部に後順番で取り付ける前記防湿建材の重合部を重合させて後順番の前記防湿建材を連接することを繰り返す行程と、を含み前記野縁のうち壁面に沿った野縁は、壁面側の防湿建材に固定されていることを特徴とする防湿建材の取付方法。」
　訂正事項ｂ：明細書の段落【００１２】を、以下のように訂正する。
「【００１２】
　【課題を解決するための手段】
　前記目的を達成するために、本発明は、間柱及び野縁を備える建物において、防湿製を有する複数の防湿建材を、前記間柱及び野縁の上で端面同士を当接させて連接し、この当接部付近を固定部材で前記間柱及び野縁に固定して、室内側の壁面及び天井面に取り付ける防湿建材の取り付け方法であって、前記防湿建材は、耐火性の面材と、この面材の一の面の全体に接着され前記間柱及び野縁と対面させて取り付けられる防湿材とで構成され、この防湿材の一部であって前記面材の接合方向の隣接する２辺からはみ出すはみ出し部と、他方の隣接する２辺付近における前記防湿材の一部であって隣接する他の前記防湿建材のはみ出し部と重合する重合部と、を備え、前記壁面において先順番で取り付けられた前記防湿建材の前記はみ出し部に後順番で取り付ける前記防湿建材の重合部を重合させて後順番の前記防湿建材を連接することを繰り返して壁面側の防湿建材を前記天井面の施工位置よりも上方まで施工する行程と、前記天井面において最先に取り付けられる前記防湿建材の前記重合部付近の辺を前記壁面の防湿建材に当接させて取り付け、先順番で取り付けられた前記防湿建材の前記はみ出し部に後順番で取り付ける前記防湿建材の重合部を重合させて後順番の前記防湿建材を連接することを繰り返す行程と、を含み前記野縁のうち壁面に沿った野縁は、壁面側の防湿建材に固定されていることを特徴とする。」
　訂正事項ｃ：明細書の段落【００３７】を、以下のように訂正する。
「【００３７】
　符号５１は格子状に組み付けられた野縁であり、野縁受け５２と吊木５３とを介して図１の二階梁４７や天井吊梁に吊り下げられた状態で設けられ、野縁５１のうち壁面側の壁面に沿った野縁５１は、壁部に張り付けられた防湿建材１の石膏ボード２に固定されている。」
（５４）【発明の名称】
防湿建材の取付方法
（５７）【特許請求の範囲】
　【請求項１】間柱及び野縁を備える建物において、防湿性を有する複数の防湿建材を、前記間柱及び野縁の上で端面同士を当接させて連接し、この当接部付近を固定部材で前記間柱及び野縁に固定して、室内側の壁面及び天井面に取り付ける防湿建材の取り付け方法であって、前記防湿建材は、耐火性の面材と、この面材の一の面の全体に接着され前記間柱及び野縁と対面させて取り付けられる防湿材とで構成され、この防湿材の一部であって前記面材の接合方向の隣接する２辺からはみ出すはみ出し部と、他方の隣接する２辺付近における前記防湿材の一部であって隣接する他の前記防湿建材のはみ出し部と重合する重合部と、を備え、前記壁面において先順番で取り付けられた前記防湿建材の前記はみ出し部に後順番で取り付ける前記防湿建材の重合部を重合させて後順番の前記防湿建材を連接することを繰り返して壁面側の防湿建材を前記天井面の施工位置よりも上方まで施工する工程と、前記天井面において最先に取り付けられる前記防湿建材の前記重合部付近の辺を前記壁面の防湿建材に当接させて取り付け、先順番で取り付けられた前記切湿建材の前記はみ出し部に後順番で取り付ける前記防湿建材の重合部を重合させて後順番の前記防湿建材を連接することを繰り返す工程と、を含
み前記野縁のうち壁面側の壁面に沿った野縁は、壁面側の防湿建材に固定されている
【発明の詳細な説明】
　【０００１】
　【産業上の利用分野】
本発明は、住宅の壁部や天井部等の防湿を図る防湿建材の取付方法に関し、特に在来工法による寒地仕様住宅への防湿建材の取付方法に関する。
　【０００２】
　【従来の技術】
　一般に、寒地の住宅では、室内の暖房により室内の気圧が外部の気圧より高くなり、室内の熱や湿気が建材等の隙間から逃げる。このため、湿気が隙間に位置する建材の木部や柱に溜まって結露が生じ、この結露によって木部や柱が腐って劣化するおそれがある。
　【０００３】
　そこで、従来は、寒地仕様住宅において、図１０に示すような防湿材の取付方法がとられていた。
　【０００４】
　図において、符号６０は間柱であり、土台６４上に立てられた柱６５の間に横間柱６１と共に格子状に組み付けられて、住宅の壁部が形成されている。
　【０００５】
　そして、組み付けられた格子状の間柱６０と横間柱６１にその全体を覆うように室内側から防湿材としてのビニールシート６２が張り付けられ、このビニールシート６２の上から、面材としての複数の石膏ボード６３が間柱６０、横間柱６１に釘打ち等にて張付ける。
　【０００６】
　すなわち、室内の湿気が逃げる間柱６０、横間柱６１間の空隙７０をビニールシート６２で覆うことにより、間柱６０や横間柱６１への湿気の付着を防止している。
　【０００７】
　住宅の天井部においても同様に、天井部を形成する格子状の野縁に順にビニールシート６２、石膏ボード６３が張られ、天井部の防湿が図られている。
　【０００８】
　また、別の防湿材の取付方法として、図１１に示すように、ビニールシート６２の幅を間柱６０の間隔よりもやや大きめに形成して、このビニールシート６２を間柱６０間の空隙７０を覆うようにして、一枚ずつ張り付け、その上から石膏ボード６３を間柱６０と横間柱６１に釘打ち等にて張付けたものもあった。
　【０００９】
　【発明が解決しようとする課題】
　上述した従来の防湿構造では、いずれにしても、防湿用のビニールシート６２と石膏ボード６３とを施工現場から離れた工場で別々に製造し、施工現場でこれらのビニールシート６２と石膏ボード６３とを各々順に間柱６０等の上に張り付ける作業をしなければならないので、施工現場における作業が煩雑であり、作業に手間がかかるという問題があった。
　【００１０】
　また、ビニールシート６２だけを細長い間柱６０等に張り付けるので、張り付け作業のばらつきによってビニールシート６２が弛んだ状態で張り付けられるおそれがあり、空隙７０が完全に覆われないことがある。
　【００１１】
　本発明は、前記従来の問題点に鑑みてなされたもので、その目的は、面材と防湿材とが一体化された防湿建材を壁部の間柱や天井部の野縁等に張り付けることにより、施工現場における建材張り付け作業の省力化を図ることができ、しかも寒地仕様住宅において完全な防湿を図ることができる防湿建材の取付方法を提供することにある。
　【００１２】
　【課題を解決するための手段】
　前記目的を達成するために、本発明は、間柱及び野縁を備える建物において、防湿性を有する複数の防湿建材を、前記間柱及び野縁の上で端面同士を当接させて連接し、この当接部付近を固定部材で前記間柱及び野縁に固定して、室内側の壁面及び天井面に取り付ける防湿建材の取り付け方法であって、前記防湿建材は、耐火性の面材と、この面材の一の面の全体に接着され前記間柱及び野縁と対面させて取り付けられる防湿材とで構成され、この防湿材の一部であって前記面材の接合方向の隣接する２辺からはみ出すはみ出し部と、他方の隣接する２辺付近における前記防湿材の一部であって隣接する他の前記防湿建材のはみ出し部と重合する重合部と、を備え、前記壁面において先順番で取り付けられた前記防湿建材の前記はみ出し部に後順番で取り付ける前記防湿建材の重合部を重合させて後順番の前記防湿建材を連接することを繰り返して壁面側の防湿建材を前記天井面の施工位置よりも上方まで施工する工程と、前記天井面において最先に取り付けられる前記防湿建材の前記重合部付近の辺を前記壁面の防湿建材に当接させて取り付け、先順番で取り付けられた前記防湿建材の前記はみ出し部に後順番で取り付ける前記防湿建材の重合部を重合させて後順番の前記防湿建材を連接することを繰り返す工程と、を含
み前記野縁のうち壁面側の壁面に沿った野縁は、壁面側の防湿建材に固定されている
　【００１３】
　【作用】
　本発明によれば、壁面において先順番で取り付けられた防湿建材のはみ出し部が防湿建材の接合方向にはみ出しているので後順番の防湿建材を先順番の防湿建材に隣接させて取り付けると、後順番の防湿建材の重合部が先順番の防湿建材のはみ出し部上に重ね合わされて取り付けられることとなり、防湿材を切れ目なく容易に連続して取り付けることができる。このようにして先に壁面に防湿建材を天井面施工位置よりも上方まで取り付けた後、前記壁面の防湿建材に当接させて天井面に前記壁面と同様にして防湿建材を取り付けることで、壁面を完全に防湿建材で覆った状態を確保して、天井面の防湿を簡易かつ迅速に行うことができ、しかも、壁面及び天井面の完全な防湿に加え、耐火性の面材を有する防湿建材にて壁面を優先して施工することで壁面の防火対策を確実にすることができる。
　【００１４】
　また、面材と防湿材とが一体化した防湿建材を壁部の間柱や天井部の野縁等に取り付ける構造なので、防湿建材を張り付ければ、面材と防湿材とが一体となって間柱や野縁等に取り付けられる。
　【００１５】
　【実施例】
　以下、本発明の実施例について、図面を参照して説明する。
　【００１６】
　図１は本発明の一実施例に係る防湿建材の取付方法を示す図である。
　【００１７】
　図において、符号４０はコンクリート基礎であり、このコンクリート基礎４０上に図示省略のアンカボルトによって土台４１が固定され、この土台４１に図示省略の一階梁と根太を介して一階床板４２が取り付けられている。
　【００１８】
　土台４１の上には複数の柱４３が立てられており、各柱４３、４３間に複数の間柱４４が立設され、これらの間柱４４に複数の横間柱４５が横通しされて、格子状の壁部が形成されている。
　【００１９】
　そして、柱４３の上部には間柱４４の上端が固定された胴差し４６が取り付けられており、この胴差し４６に二階梁４７が固定され、この二階梁４７上に根太を介して二階床板４８が取り付けられている。
　【００２０】
　図中、符号１は、間柱４４と横間柱４５とが格子状に組み付けられて形成された壁部と二階床板４８直下及び二階の天井部（図８参照）とを防湿するための防湿建材である。
　【００２１】
　この防湿建材１は、図２及び図３に示すように、耐火性の面材としての石膏ボード２と、この石膏ボード２の裏面に防湿性に優れた酢酸ビニル系の接着剤４を介して接着加工された防湿材としてのビニールシート３が、一体に形成されている。
　【００２２】
　石膏ボード２の厚さ、幅、長さは石膏ボード２が張り付けられる部位に対応して設定されており、例えば９ｍｍ（又は１２ｍｍ）×３００ｍｍ×１８２０ｍｍ、９ｍｍ（又は１２ｍｍ）×９１０ｍｍ×１８２０ｍｍ、９ｍｍ（又は１２ｍｍ）×９１０ｍｍ×２４２０ｍｍ等に形成されている。
　【００２３】
　また、ビニールシート３は石膏ボード２よりも所定面積だけ大きめに形成されており、このビニールシート３の隣り合う一組の縁辺３１，３２が石膏ボード２の隣り合う一組の縁辺２１，２２と一致するように接着されている。これにより、石膏ボード２の接合方向Ａ，Ｂに例えば１００ｍｍ程度はみ出したはみ出し部３３，３４が形成されている。
　【００２４】
　なお、ここでは面材として一般的に用いられている石膏ボード２を使用しているが、これに限るものではなく、例えば、ケイ酸カルシウム（ケイカル板）、硬質木片セメント板、石綿板等を使用することができる。
　【００２５】
　また、防湿材としてビニールシート３を使用しているが、これに限らず、ポリプロピレンフイルム、ポリエチレンフイルム等の合成樹脂フイルム又はシート、及び防湿紙等の防湿性を有するフイルム又はシートも使用することができる。
　【００２６】
　さらに、接着剤４としては酢酸ビニル系のものでなくとも、面材と防湿材とを密着接合できかつ防湿性に優れたものであればこれに限るものではない。例えば、酢ビ・アクリル系、エチレン・酢ビ系、アクリル・エチレン系、ウレタン系の接着剤を用いることができる。
　【００２７】
　また、ビニールシート３のはみ出し部３３を図２の矢印Ａ，Ｂ方向にはみ出すように形成したが、矢印Ａ，Ｂと逆方向にはみ出すように形成しても良いことは勿論である。
　【００２８】
　このような防湿建材１を壁部に複数張り付けるに際して、まず、一方の防湿建材１（例えば図１の左に位置する防湿建材）のビニールシート３のはみ出し部３３が上になるようにビニールシート３面が間柱４４側に向けられて、石膏ボード２の両側縁部が間柱４４、４４にまたがって当てがわれ、この両側縁部が間柱４４、４４に釘打ち等にて張付けられる。
　【００２９】
　つぎに、図４に示すように、この張り付けられた防湿建材１のはみ出し部３４に次ぎに張り付ける防湿建材１の左側縁部が間柱４４上で重ねられると共に、張り付ける石膏ボード２の左側縁辺２１が既に張り付けられた石膏ボード２の右側縁辺に当接させられて、張り付ける石膏ボード２の左側縁部が間柱４４に釘打ち等にて固定される。そして、この石膏ボード２の右側縁部が次の間柱４４に当てがわれて釘打ちされる。このようにして、図５に示すように、各防湿建材１が一対の間柱４４、４４にまたがるようにして間柱４４の立設方向に順に張り付けられる。
　【００３０】
　これにより、既に張り付けられた防湿建材１のビニールシートはみ出し部３４とこの防湿建材１に隣り合う防湿建材１のビニールシート３縁部とが同一間柱４４上で重なり、この重なり部分が石膏ボード２の釘打ちによって間柱４４に圧着されるので、複数のビニールシート３が間柱４４の立設方向に隙間なく張り付けられることになる。
　【００３１】
　なお、図１及び図５のように上位に胴差し４６等があるときには、張り付ける防湿建材１の上側はみ出し部３３を切り取るか又は折り曲げて防湿建材１が張り付けられる。。
　【００３２】
　図１及び図５は間柱４４の高さがあまりなく、高さ方向に対して一枚の防湿建材１でまかなえる場合を示しているが、図６に示すように、高さがある吹抜け等を構成する間柱４４に対しては、接合方向Ａにも防湿建材１が張り付けられる。
　【００３３】
　すなわち、図７にも示すように、接合方向Ｂに上述した方法で最下段の複数の防湿建材１が間柱４４に張り付けられた後、これらの防湿建材１のはみ出し部３３に、張り付ける防湿建材１の下縁部（図６及び図７の下方向）が横間柱４５上で重ねられ、張り付ける石膏ボード２の下側縁辺２２が既に張り付けられた石膏ボード２の上側縁辺に当接するようにして、石膏ボード２が横間柱４５に釘打ち等にて張付けられる。また、この石膏ボード２の両側縁部は上述した方法と同様の方法で間柱４４、４４に釘打ち等にて固定される。このようにして、各防湿建材１が一対の横間柱４５、４５にまたがった状態で接合方向Ａに順に張り付けられる。
　【００３４】
　これにより、既に張り付けられた防湿建材１の上側及び右側はみ出し部３３、３４に、この防湿建材１の上側及び右側に位置する防湿建材１のビニールシート３の下側及び左側縁部が当接して重なり、しかも石膏ボード２の釘打ち等によって、この重なり部分が互いに密着した状態で間柱４４と横間柱４５に圧着されるので、互いに隣り合うビニールシート３、３の重なり部分は完全に気密になる。
　【００３５】
　したがって、複数の防湿建材１の間柱４４や横間柱４５への張り付けによって、格子状の間柱４４及び横間柱４５で形成される壁部全体が大きな一枚のビニールシートで覆われるのと実質的に同一の効果が生じるので、室内の湿気がビニールシート３で完全に遮断され、湿気が間柱４４や横間柱４５等の木部に付着にすることはなく、また室内の熱が間柱４４と横間柱４５との空隙５０から外部に逃げることもない。
　【００３６】
　図８は二階床板４８直下の天井部と二階の天井部の構造を示す。
　【００３７】
　符号５１は格子状に組み付けられた野縁であり、野縁受け５２と吊木５３とを介して図１の二階梁４７や天井吊梁に吊り下げられた状態で
設けられ、野縁５１のうち壁面側の壁面に沿った野縁５１は、
　【００３８】
　この天井部への防湿建材１の張り付けは、各防湿建材１が野縁５１の各格子単位ごとに張り付けられることにより行われる。
　【００３９】
　まず、一の防湿建材１（例えば図８中、手前最左側に位置する防湿建材）のビニールシート３面が野縁５１側に向けられた状態で、石膏ボード２の縁部が野縁５１に釘打ちされる。この場合、天井面施工位置よりも上方まで壁面の防湿建材１が取り付けられており、この壁面の防湿建材に天井面の防湿建材１を当接させて取り付ける。これにより、壁面の完全な防火対策が可能となる。
　【００４０】
　そして、この張り付けられた防湿建材１のはみ出し部３３、３４に、次ぎに張り付ける防湿建材１、１の縁部が重ねられ、張り付ける石膏ボード２、２の縁辺２１、２２が既に張り付けられた石膏ボード２の縁辺に当接されるようにして、これらの石膏ボード２、２が野縁５１に釘打ち等にて張付けられる。
　【００４１】
　すなわち、既に張り付けられた防湿建材１のはみ出し部３３、３４とこの防湿建材１に隣り合う防湿建材１、１のビニールシート３、３の縁部とが同一野縁５１上で重なり、この重なり部分が石膏ボード２の釘打ち等によって野縁５１に圧着されるように、複数の防湿建材１が各格子に順に張り付けられる。
　【００４２】
　なお、図８の最右側と最奥側に位置する防湿建材１のはみ出し部３３、３４は余るので、図９に示すように野縁５１の下側に折り曲げて隠すか又は切り取る。
　【００４３】
　このように複数の防湿建材１を天井部に張り付けることで、天井部の格子状野縁５１全体が複数のビニールシート３で気密に覆われる。
　【００４４】
　したがって、室内の湿気はビニールシート３で完全に遮断されるので、湿気が野縁５１等の木部に侵入して付着することはなく、また室内の空気が天井部から外部に逃げることもない。
　【００４５】
　上述したように、本実施例の防湿建材の取付方法は面材としての石膏ボード２と防湿材としてのビニールシート３とが一体的に形成された防湿建材１を壁部の間柱４４と横間柱４５や天井部の野縁５１に張り付ける方法なので、石膏ボード２を釘打ちすれば必然的にビニールシート３も張り付けられ、図１０や図１１に示した従来例のように、施工現場でビニールシート３と石膏ボード２とを別々に張り付ける作業を必要としない。この結果、施工現場における防湿建材張り付け作業の省力化を図ることができると共に寒地仕様住宅において完全な防湿を図ることができる。
　【００４６】
　【発明の効果】
　以上説明したように、本発明によれば、壁面において先順番で取り付けられた防湿建材のはみ出し部が防湿建材の接合方向にはみ出しているので後順番の防湿建材を先順番の防湿建材に隣接させて取り付けると、後順番の防湿建材の重合部が先順番の防湿建材のはみ出し部上に重ね合わされて取り付けられることとなり、防湿材を切れ目なく容易に連続して取り付けることができる。このようにして先に壁面に防湿建材を天井面施工位置よりも上方まで取り付けた後、前記壁面の防湿建材に当接させて天井面に前記壁面と同様にして防湿建材を取り付けることで、壁面を完全に防湿建材で覆った状態を確保して、天井面の防湿を簡易かつ迅速に行うことができ、しかも、壁面及び天井面の完全な防湿に加え、耐火性の面材を有する防湿建材にて壁面を優先して施工することで壁面の防火対策を確実にすることができる。
　【００４７】
　また、複数の防湿材の重なり部分が壁部の間柱や天井部の野縁等上に密着された状態で、複数の防湿建材が順次接合方向に沿って張り付けられるので、壁部や天井部等が実質上一枚の防湿材で室内側から完全に覆われることになり、室内の湿気が間柱や野縁等に付着することがなく、寒地仕様住宅の完全な防湿を図ることができるという優れた効果がある。
【図面の簡単な説明】
　【図１】
　本発明の一実施例に係る防湿建材の取付方法を示す斜視図である。
　【図２】
　本実施例に適用される防湿建材の斜視図である。
　【図３】
　防湿建材の側面図である。
　【図４】
　壁部における防湿建材の張り付け状態を示す側面図である。
　【図５】
　防湿建材を間柱の立設方向に張り付けた状態を示す平面図である。
　【図６】
　吹き抜け等の壁部に防湿建材を張り付ける状態を示す斜視図である。
　【図７】
　防湿建材を接合方向Ａ，Ｂに沿って張り付けた状態を示す平面図である。
　【図８】
　天井部への防湿建材の張り付け方法を示す斜視図である。
　【図９】
　防湿建材のはみ出し部の折り曲げ状態を示す側面図である。
　【図１０】
　従来の防湿構造を説明するための概略斜視図である。
　【図１１】
　他の従来例に係る防湿構造を示す概略斜視図である。
　【符号の説明】
１防湿建材
２石膏ボード
３ビニールシート
４接着剤
３３，３４はみ出し部
４４間柱
４５横間柱
５１野縁
Ａ，Ｂ接合方向